(57)【特許請求の範囲】
【請求項１】
光源から出射されるレーザー光を反射する反射面を有するミラーと、前記反射面と直交する方向に前記ミラーを変位させて前記反射面の位置を調整する調整機構と、を備えた光走査装置であって、
前記ミラーの前記反射面に直交する面と前記ミラーの外周に配置される部材との間に介装される防振用の弾性部材を備え、
前記調整機構は、
前記ミラーの外周に配置される部材としてのミラーホルダーと、
前記ミラーの前記反射面とは反対側の面を押圧可能となるように前記ミラーホルダーに取り付けられる押圧部材と、を備えたボウ調整機構であり、
前記弾性部材は、
前記ミラーの左右側面と前記ミラーホルダーの内側面の間にそれぞれ介装される左右側片部と、
該左右側片部を連結して一体化し、前記ミラーの前記反対側の面から離間するように設けられる連結部と、を備えていることを特徴とする光走査装置。
【請求項２】
光源から出射されるレーザー光を反射する反射面を有するミラーと、前記反射面と直交する方向に前記ミラーを変位させて前記反射面の位置を調整する調整機構と、を備えた光走査装置であって、
前記ミラーの前記反射面に直交する面と前記ミラーの外周に配置される部材との間に介装される防振用の弾性部材を備え、
前記弾性部材は、
前記ミラーの端面に取り付けられる第１側片部と、
該第１側片部の両側から屈曲され、前記ミラーの端面と隣接する側面に取り付けられる第２側片部と、を備え、
前記ミラーの外周に配置される部材は、該ミラーを支持する部材であることを特徴とする光走査装置。
【請求項３】
請求項１又は２に記載の光走査装置を備えていることを特徴とする画像形成装置。
【発明の詳細な説明】
【技術分野】
【０００１】
本発明は、レーザー光を感光体の表面へと導く光走査装置及びこれを備えた画像形成装置に関する。
【背景技術】
【０００２】
従来、複写機やプリンター等の電子写真方式の画像形成装置においては、レーザー・スキャニング・ユニット（ＬＳＵ）等で構成される光走査装置を用いて感光体の表面に静電潜像を形成し、この静電潜像をトナーによって現像することで、画像形成動作を行っている。
【０００３】
また、上記した光走査装置は、例えば、レーザー光を出射する光源と、この光源から出射されたレーザー光を集めるレンズ（例えば、コリメータレンズとシリンドリカルレンズ）と、このレンズによって集められたレーザー光を偏光走査するポリゴンミラーと、このポリゴンミラーによって偏光走査されたレーザー光を反射して感光体の表面へと導く複数のレンズ及びミラーと、によって構成されている。
【０００４】
このような光走査装置において、上記のミラーが振動すると、感光体上の静電潜像の書き込み位置が変動してしまい、画像ジッタと呼ばれる画像不良の原因となる。そのため、ミラーの共振を防止したりミラーの剛性を向上させたりするなど、ミラーの振動を防止するための対策が従来から行われている。例えば、特許文献１には、レンズやミラー等の光学系が取り付けられる基板の厚さを、光学系の取付部とこの取付部を除く部分とで異なるように設定することで、光学系の取付部をポリゴンモーターの回転によって生じる振動の節として、光学系の振動を抑制する技術が開示されている。
【０００５】
ところで、光走査装置においては、ミラーの反射面の位置にズレが生じることで、本来直線的に印刷されるはずの画像が弓状に湾曲する現象（いわゆる「ボウ」。図１０（ａ）参照。）や、本来用紙の上下両縁部に対して平行に印刷されるはずの画像が上下両縁部に対して斜めに傾斜する現象（いわゆる「スキュー」。図１０（ｂ）参照。）が生じる場合が有る。これらの現象を抑制するためには、調整機構を用いてミラーの反射面の位置を調整する必要がある。
【先行技術文献】
【特許文献】
【０００６】
【特許文献１】特開２００７−１２７９６１号公報
【発明の概要】
【発明が解決しようとする課題】
【０００７】
通常、ミラーの振動が発生する方向とミラーの反射面の位置の調整方向は、両方ともミラーの反射面と直交する方向になる。そのため、ミラーの振動を抑制するために反射面と直交する方向にミラーが変位するのを抑制すると、反射面の位置の調整が困難になるし、反射面の位置の調整を可能とするために反射面と直交する方向にミラーが変位するのを許容すると、ミラーの振動の抑制が困難になる。このように、従来の技術においては、ミラーの振動の抑制とミラーの反射面の調整を両立させることが困難になっていた。
【０００８】
そこで、本発明は上記事情を考慮し、ミラーの振動を防止し、且つミラーの反射面の調整機構を有効に機能させることで、高画質化を図ることを目的とする。
【課題を解決するための手段】
【０００９】
本発明の光走査装置は、光源から出射されるレーザー光を反射する反射面を有するミラーと、前記反射面と直交する方向に前記ミラーを変位させて前記反射面の位置を調整する調整機構と、を備えた光走査装置であって、前記ミラーの前記反射面に直交する面と前記ミラーの外周に配置される部材との間に介装される防振用の弾性部材を備えていることを特徴とする。
【００１０】
このように防振用の弾性部材を配置することで、ミラーの振動を防止することが可能となり、ミラーの振動に伴う画像ジッタを抑制して高画質化を図ることが可能となる。また、上記した弾性部材は、ミラーの反射面やこの反射面とは反対側の面に接触するのではなく、ミラーの反射面に直交する面に接触することになる。そのため、反射面と直交する方向に沿って行われる反射面の位置の調整が弾性部材によって阻害される虞が無く、調整機構を有効に機能させることができる。従って、上記した画像ジッタの抑制と相俟って、一層の高画質化を図ることが可能となる。
【００１１】
本発明の光走査装置は、前記調整機構は、前記ミラーの外周に配置される部材としてのミラーホルダーと、前記ミラーの前記反射面とは反対側の面を押圧可能となるように前記ミラーホルダーに取り付けられる押圧部材と、を備えたボウ調整機構であり、前記弾性部材は、前記ミラーの左右側面と前記ミラーホルダーの内側面の間にそれぞれ介装される左右側片部と、該左右側片部を連結して一体化し、前記ミラーの前記反対側の面から離間するように設けられる連結部と、を備えていることを特徴とする。
【００１２】
このような構成を採用することで、ボウ調整機構側からミラー側に振動が伝搬したり、ミラー側からボウ調整機構側に振動が伝搬したりするのを抑制して、ミラーの防振効果を高めることが可能となる。また、連結部によって左右側片部を一体化する構成を採用することで、左右側片部のみによって弾性部材を形成する場合よりも、ミラーホルダーに弾性部材を容易に取り付けることが可能となる。
【００１３】
本発明の光走査装置は、前記弾性部材は、前記ミラーの端面に取り付けられる第１側片部と、該第１側片部の両側から屈曲され、前記ミラーの端面と隣接する側面に取り付けられる第２側片部と、を備え、前記ミラーの外周に配置される部材は、該ミラーを支持する部材であることを特徴とする。
【００１４】
このような構成を採用することで、ミラーを支持する部材側からミラー側に振動が伝搬したり、ミラー側からミラーを支持する部材側に振動が伝搬したりするのを抑制して、ミラーの防振効果を高めることが可能となる。また、ミラーの端面及びこの端面に隣接する側面に弾性部材を取り付けることで、弾性部材をミラーに簡易な方法で固定することが可能となる。
【００１５】
本発明の画像形成装置は、上記いずれかの光走査装置を備えていることを特徴とする。
【発明の効果】
【００１６】
本発明は、ミラーの振動を防止し、且つミラーの反射面の調整機構を有効に機能させることで、高画質化を可能とする。
【図面の簡単な説明】
【００１７】
【図１】本発明の一実施形態に係るカラープリンターの構成の概略を示す模式図である。
【図２】本発明の一実施形態に係るカラープリンターの光走査装置を示す外観斜視図である。
【図３】本発明の一実施形態に係るカラープリンターの光走査装置において、走査ユニットの内部構造を示す斜視図である。
【図４】本発明の一実施形態に係るカラープリンターの光走査装置において、走査ユニットの内部構造を示す側面図である。
【図５】本発明の一実施形態に係るカラープリンターの光走査装置において、走査ユニットに設けられた第３ミラーの前後両端部付近を示す平面図である。
【図６】本発明の一実施形態に係るカラープリンターの光走査装置において、第３ミラーに設けられたボウ調整機構を示す斜視図である。
【図７】本発明の一実施形態に係るカラープリンターの光走査装置において、第３ミラーに設けられたボウ調整機構を示す断面図である。
【図８】図７のＡ−Ａ断面図である。
【図９】本発明の一実施形態に係るカラープリンターの光走査装置において、第３ミラーに設けられたスキュー調整機構を示す側面図である。
【図１０】（ａ）は、ボウが発生した状態を示す説明図であり、（ｂ）はスキューが発生した状態を示す説明図である。
【発明を実施するための形態】
【００１８】
まず、図１を用いて画像形成装置としてのカラープリンター１の全体の構成について説明する。図１は、本発明の一実施形態に係るカラープリンターの構成の概略を示す模式図である。
【００１９】
カラープリンター１は、箱型形状のプリンター本体２を備えており、プリンター本体２の下部には用紙（図示せず）を収納した給紙カセット３が設けられ、プリンター本体２の上部には排紙トレイ４が設けられている。
【００２０】
プリンター本体２の上部には、中間転写ベルト５が複数のローラー間に架設され、中間転写ベルト５の下方には、レーザー・スキャニング・ユニット（ＬＳＵ）で構成される光走査装置１０が配置されている。光走査装置１０の詳細については後述する。
【００２１】
中間転写ベルト５の近傍には、中間転写ベルト５の下部に沿って４個の画像形成部６がトナーの色（例えば、マゼンタ、シアン、イエロー、ブラックの４色）ごとに設けられている。各画像形成部６には、感光体ドラム７が回転可能に設けられており、感光体ドラム７の周囲には、帯電器８と、現像器１１と、一次転写部１２と、クリーニング装置１３と、除電器１４とが、一次転写のプロセス順に配置されている。
【００２２】
現像器１１の下部には一対の攪拌ローラー１５が設けられ、攪拌ローラー１５の斜め上方には磁気ローラー１６が設けられ、磁気ローラー１６の斜め上方には現像ローラー１７が設けられている。現像器１１の上方には、各画像形成部６と対応する４個のトナーコンテナ１８が、トナーの色ごとに設けられている。
【００２３】
プリンター本体２の一側（図面上右側）には、用紙の搬送経路２０が設けられている。搬送経路２０の上流端には給紙部２１が設けられ、搬送経路２０の中流部には中間転写ベルト５の一端（図面上右端）に二次転写部２２が設けられ、搬送経路２０の下流部には定着部２３が設けられ、搬送経路２０の下流端には排紙口２４が設けられている。
【００２４】
次に、このような構成を備えたカラープリンター１の画像形成動作について説明する。カラープリンター１に電源が投入されると、各種パラメーターが初期化され、定着部２３の温度設定等の初期設定が実行される。そして、カラープリンター１に接続されたコンピューター等から画像データが入力され、印刷開始の指示がなされると、以下のようにして画像形成動作が実行される。
【００２５】
まず、帯電器８によって感光体ドラム７の表面が帯電された後、光走査装置１０からのレーザー光（矢印Ｐ参照）により感光体ドラム７の表面に静電潜像が形成される。次に、この静電潜像を、現像器１１がトナーにより対応する色のトナー像に現像する。このトナー像は、一次転写部１２において中間転写ベルト５の表面に一次転写される。以上の動作を各画像形成部６が順次繰り返すことによって、中間転写ベルト５上にフルカラーのトナー像が形成される。なお、感光体ドラム７上に残留したトナー及び電荷は、クリーニング装置１３及び除電器１４によって除去される。
【００２６】
一方、給紙部２１によって給紙カセット３又は手指しトレイ（図示せず）から取り出された用紙は、上記した画像形成動作とタイミングを合わせて二次転写部２２へと搬送され、二次転写部２２において、中間転写ベルト５上のフルカラーのトナー像が用紙に二次転写される。トナー像を二次転写された用紙は、搬送経路２０を下流側へと搬送されて定着部２３に進入し、この定着部２３において用紙にトナー像が定着される。トナー像が定着された用紙は、排紙口２４から排紙トレイ４上に排出される。
【００２７】
次に、図２〜図４を用いて、光走査装置１０の概略について説明する。図２は、本発明の一実施形態に係るカラープリンターの光走査装置を示す外観斜視図である。図３は、本発明の一実施形態に係るカラープリンターの光走査装置において、走査ユニットの内部構造を示す斜視図である。図４は、本発明の一実施形態に係るカラープリンターの光走査装置において、走査ユニットの内部構造を示す側面図である。以下、説明の便宜上、図２、図３における手前側を各部材の前側とし、図２、図３における奥側を各部材の後側とする。
【００２８】
図２に示されるように、光走査装置１０には、各画像形成部６に対応する４個の走査ユニット２５が左右方向に連設されている。４個の走査ユニット２５は、フレーム部材２６によって外周を囲繞され、一体化されている。各走査ユニット２５は、前後方向に長い箱型形状のケーシング３２を備えている。
【００２９】
図３に示されるように、ケーシング３２の内部には、光源としてのレーザーダイオード３３と、レーザーダイオード３３の前方に配置される複数のレンズ３４（例えば、コリメータレンズとシリンドリカルレンズ）と、複数のレンズ３４の前方に配置され、ポリゴンモーター３５によって回転駆動されるポリゴンミラー３６と、ポリゴンミラー３６の左方に第１レンズ３７を介して配置される第１ミラー３８と、第１ミラー３８の上方に配置される第２ミラー４０と、第２ミラー４０の右方に第２レンズ４１を介して配置される第３ミラー４２と、が設けられている。
【００３０】
レーザーダイオード３３から出射されたレーザー光は、複数のレンズ３４によって線状に集められた後、高速回転するポリゴンミラー３６に入射する。ポリゴンミラー３６に入射したレーザー光は、図４に示されるように、第１レンズ３７を通過して第１ミラー３８で反射された後、第２ミラー４０で反射され、第２レンズ４１を通過して第３ミラー４２で反射されて、感光体ドラム７の表面に照射される。これにより、前記した静電潜像の形成が行われる。
【００３１】
次に、主に図５を用いて、第３ミラー４２について詳細に説明する。図５は、本発明の一実施形態に係るカラープリンターの光走査装置において、走査ユニットに設けられた第３ミラーの前後両端部付近を示す平面図である。なお、図５においては、図面上の左側が前側であり、図面上の右側が後側である。
【００３２】
第３ミラー４２は、前後方向に細長い略直方体形状を成しており、反射面４５が斜め上向きになるように、傾斜姿勢でケーシング３２内に収納されている（図３参照）。
【００３３】
図５に示されるように、第３ミラー４２の４隅には面取り部４６が設けられている。第３ミラー４２の前後両端には、防振用の第１弾性部材４７が取り付けられている。各第１弾性部材４７は、例えば、帯状のスポンジ部材によって形成されている。各第１弾性部材４７は、第３ミラー４２の反射面４５と直交する面（前端面４８ａ、左右側面４８ｂ、４８ｃ、後端面４８ｄ）に、例えば両面テープや接着剤等の適宜の手段によって貼着されている。
【００３４】
第３ミラー４２の前端に設けられた第１弾性部材４７は、第３ミラー４２の前端面４８ａに貼着される第１側片部５０と、この第１側片部５０の両側から屈曲され、第３ミラー４２の左右側面４８ｂ、４８ｃ（第３ミラー４２の端面と隣接する側面）の前端部に貼着される第２側片部５１と、を備えており、平面視で略コ字状を成している。第１側片部５０と第２側片部５１の間には、第３ミラー４２の面取り部４６に貼着される傾斜部５２が設けられている。
【００３５】
第３ミラー４２の後端に設けられた第１弾性部材４７は、第３ミラー４２の後端面４８ｄに貼着される第１側片部５０と、この第１側片部５０の両側から屈曲され、第３ミラー４２の左右側面４８ｂ、４８ｃ（第３ミラー４２の端面と隣接する側面）の後端部に貼着される第２側片部５１と、を備えており、平面視で略コ字状を成している。第１側片部５０と第２側片部５１の間には、第３ミラー４２の面取り部４６に貼着される傾斜部５２が設けられている。
【００３６】
各第１弾性部材４７は、第３ミラー４２とこの第３ミラー４２の外周に配置される支持部材（図示せず）との間に介装されている。この支持部材は、ケーシング３２内に設けられており、第３ミラー４２の前後両端部を支持している。
【００３７】
次に、第３ミラー４２に設けられるボウ調整機構４３について、主に図３と図６〜図８を用いて詳細に説明する。図６は、本発明の一実施形態に係るカラープリンターの光走査装置において、第３ミラーに設けられたボウ調整機構を示す斜視図である。図７は、本発明の一実施形態に係るカラープリンターの光走査装置において、第３ミラーに設けられたボウ調整機構を示す断面図である。図８は、図７のＡ−Ａ断面図である。なお、図６、図７においては、図面上の左側が前側であり、図面上の右側が後側である。
【００３８】
ボウ調整機構４３は、第３ミラー４２の背面５３（反射面４５とは反対側の面）及び左右側面４８ｂ、４８ｃを覆うように第３ミラー４２の外周に配置されるミラーホルダー５４と、このミラーホルダー５４の前後方向中央部に設けられる調整ブラケット５５と、ミラーホルダー５４の前後両端部にそれぞれ設けられる補助ブラケット５６と、を主体として構成されている。
【００３９】
ミラーホルダー５４は、上面が開口されたコ字状の断面を有している（図８参照）。ミラーホルダー５４は、第３ミラー４２と同様に、前後方向に細長い形状を成している。ミラーホルダー５４は、その長さが第３ミラー４２の長さよりも短くなるように形成されており、第３ミラー４２の前後両端部は、ミラーホルダー５４の前方と後方にそれぞれ露出している。そして、この露出部分に前記した各第１弾性部材４７が取り付けられると共に、上記した露出部分が前記した支持部材（図示せず）によって支持されている。
【００４０】
図７に最も良く示されるように、ミラーホルダー５４の底面５７の前後両端には、断面が上向き三角形状を成す突起部５８が設けられており、この突起部５８の上端に第３ミラー４２の背面５３が当接している。このような構成により、ミラーホルダー５４の底面５７と第３ミラー４２の背面５３の間には、隙間６０が形成されている。
【００４１】
ミラーホルダー５４の前部及び後部には、防振用の第２弾性部材６１が取り付けられている。各第２弾性部材６１は、各第１弾性部材４７と同様に、例えば帯状のスポンジ部材によって形成されている。各第２弾性部材６１は、例えば両面テープや接着剤等の適宜の手段によってミラーホルダー５４に貼着されている。各第２弾性部材６１は、第３ミラーの左右側面４８ｂ、４８ｃとミラーホルダー５４の内側面６２の間にそれぞれ介装される左右側片部６３と、左右側片部６３を連結して一体化する連結部６４と、を備えており、断面コ字状を成している（図８参照）。左右側片部６３は、ミラーホルダー５４の内側面６２に貼着されており、第３ミラー４２の左右側面４８ｂ、４８ｃに接触している。これに対して、連結部６４は、ミラーホルダー５４の底面５７に貼着されており、第３ミラー４２の背面５３とは隙間６０を介して離間している。
【００４２】
ミラーホルダー５４の前部と後部には、内側面６２と底面５７に亘って位置合わせ用の溝部６５がコ字状に形成されており、この溝部６５に沿って第２弾性部材６１をミラーホルダー５４に貼着することで、第２弾性部材６１をミラーホルダー５４に容易に取り付けられるようになっている。
【００４３】
図７に最も良く示されるように、ミラーホルダー５４の前後方向中央部にはネジ穴６６が穿設されており、このネジ穴６６に押圧部材としての調整ネジ６７が螺合している。調整ネジ６７は、第３ミラー４２の反射面４５と直交する方向に進退可能となるようにミラーホルダー５４に装着されている。調整ネジ６７の先端部は、第３ミラー４２の背面５３を押圧可能となっている。
【００４４】
図６に最も良く示されるように、調整ブラケット５５は、ミラーホルダー５４の外側面６８に接触する左右両側板７０（図６では手前側の１枚のみ表示）と、ミラーホルダー５４の下面６９（底面５７の裏側の面）と所定の間隔を介して離間する底板７１と、を備えており、コ字状を成している。
【００４５】
調整ブラケット５５の左右両側板７０の下部には、横長形状の工具挿入穴７４が穿設されている。図３に最も良く示されるように、調整ブラケット５５の左右両側板７０の上端の前後方向中央部には、内側に向かって屈曲された屈曲片７２が設けられ、この屈曲片７２が第３ミラー４２の反射面４５に係合することで、調整ブラケット５５が第３ミラー４２に保持されている。調整ブラケット５５の左右両側板７０の上端の前部と後部には、下方に向かって折り返された折返片７３が設けられ、この折返片７３が第３ミラー４２の左右側面４８ｂ、４８ｃに当接している。
【００４６】
図７に最も良く示されるように、調整ブラケット５５の底板７１の前後方向中央にはネジ挿入穴７５が穿設され、このネジ挿入穴７５に調整ネジ６７が挿入されている。調整ブラケット５５の底板７１の前部と後部にはそれぞれ取付穴７６が設けられ、この取付穴７６にコイルスプリング７７の下端部が取り付けられている。コイルスプリング７７の上端は、ミラーホルダー５４の下面６９に固定されている。コイルスプリング７７は、調整ブラケット５５を介して第３ミラー４２を下方に付勢している。
【００４７】
図６に最も良く示されるように、補助ブラケット５６は、ミラーホルダー５４の外側面６８に接触する左右両側板７８と、ミラーホルダー５４の下面６９と所定の間隔を介して離間する底板８０と、を備えており、コ字状を成している。
【００４８】
図３に最も良く示されるように、補助ブラケット５６の側板７８の上端には、内側に向かって屈曲された屈曲片８１が設けられ、この屈曲片８１が第３ミラー４２の反射面４５に係合することで、補助ブラケット５６が第３ミラー４２に保持されている。補助ブラケット５６の側板７８の上端には、下方に向かって折り返された折返片８２が設けられ、この折返片８２が第３ミラー４２の左右側面４８ｂ、４８ｃに当接している。
【００４９】
図６、図７に示されるように、補助ブラケット５６の底板８０には、上方に向かって板バネ部８３が設けられ、この板バネ部８３の上端がミラーホルダー５４の下面６９に当接している。板バネ部８３は、第３ミラー４２を下方に付勢している。
【００５０】
上記の如く構成されたものを用いてボウ調整を行うには、工具挿入穴７４から調整ブラケット５５内にオープンエンドレンチ等の工具（図示せず）を挿入し、この工具によって調整ネジ６７を一の方向に回して締め付ける。これに伴って、調整ネジ６７の先端部が第３ミラー４２の背面５３の前後方向中央部を反射面４５と直交する方向に押圧し、第３ミラー４２の位置が調整される。一方で、工具によって調整ネジ６７を上記一の方向とは逆方向に回して緩めれば、調整ネジ６７が下方に移動し、コイルスプリング７７の付勢力によって第３ミラー４２が元の状態に復元する。以上のようにして調整ネジ６７を締め付けたり緩めたりすることで、第３ミラー４２が反射面４５と直交する方向（図７の矢印Ｘ参照）に変位し、ボウ調整が行われる。本実施形態ではこのように、第３ミラー４２にボウ調整機構４３が設けられているため、ボウの発生を確実に抑制することが可能となる。
【００５１】
次に、上記した第３ミラー４２に設けられるスキュー調整機構４４について、主に図９を用いて説明する。図９は、本発明の一実施形態に係るカラープリンターの光走査装置において、第３ミラーに設けられたスキュー調整機構を示す側面図である。
【００５２】
図９に最も良く示されるように、スキュー調整機構４４は、第３ミラー４２の前側に配置される基台８４と、この基台８４に回転可能に設けられる操作部材８５と、基台８４に左右方向スライド可能に支持されるスライド部材８６と、操作部材８５の斜め上方において基台８４に回転可能に支持される回転部材８７と、を備えている。なお、図９の矢印Ａは操作部材８５の回転方向を示し、図９の矢印Ｂはスライド部材８６のスライド方向を示し、図９の矢印Ｃは回転部材８７の回転方向を示している。
【００５３】
操作部材８５には、六角形の角溝８８が設けられている。操作部材８５とスライド部材８６は、ラックアンドピニオン機構（図示せず）を介して接続されている。回転部材８７は、スライド部材８６に下端部が当接する第１腕部９０と、この第１腕部９０の上端から斜め上方に延設され、上端部が第３ミラー４２の背面５３の前端部に当接する第２腕部９１と、第１腕部９０と第２腕部９１の連結部分に設けられる支点部９２と、を備えており、この支点部９２を中心に回転するように構成されている。なお、第１腕部９０と第２腕部９１は、互いに相対回転不能である。
【００５４】
上記の如く構成されたものにおいて、スキュー調整を行うには、操作部材８５の角溝８８に例えば六角棒レンチ等の工具を挿入し、この工具によって操作部材８５を一方向に回転させる。このように操作部材８５が回転すると、この回転が前記したラックアンドピニオン機構（図示せず）を介してスライド部材８６に伝達され、スライド部材８６が回転部材８７側にスライドして回転部材８７の第１腕部９０を押圧する。この押圧に伴って回転部材８７が支点部９２を中心に一方向（図９では反時計回り）に回転し、回転部材８７の第２腕部９１の上端部が、第３ミラー４２の背面５３の前端部を第３ミラー４２の反射面４５と直交する方向に押圧し、反射面４５の位置が調整される。一方で、工具によって操作部材８５を上記一方向とは逆方向に回転させると、この回転が前記したラックアンドピニオン機構（図示せず）を介してスライド部材８６に伝達され、スライド部材８６が回転部材８７から離間するようにスライドする。これに伴って、回転部材８７が支点部９２を中心に他方向（図９では時計回り）に回転し、第３ミラー４２が元の位置に復元する。以上のようにして回転部材８７を一方向又は他方向に回転させることで、第３ミラー４２が反射面４５と直交する方向（図９の矢印Ｙ参照）に変位し、スキュー調整が行われる。本実施形態ではこのように、第３ミラー４２にスキュー調整機構４４が設けられているため、スキューの発生を確実に防止することが可能となる。
【００５５】
また、本実施形態では、第１弾性部材４７及び第２弾性部材６１によって第３ミラー４２の振動を防止することが可能となり、第３ミラー４２の振動に伴う画像ジッタを抑制して高画質化を図ることが可能となる。
【００５６】
また、本実施形態では、第３ミラー４２にボウ調整機構４３とスキュー調整機構４４が設けられているが、ボウ調整機構４３による第３ミラー４２の調整方向（図７の矢印Ｘ参照）と、スキュー調整機構４４による第３ミラー４２の調整方向（図９の矢印Ｙ参照）は、両方とも第３ミラー４２の反射面４５と直交する方向である。この点に着目し、本実施形態では、第１弾性部材４７及び第２弾性部材６１を反射面４５に対して直交する側面４８ａ〜４８ｄに設けている。そのため、反射面４５とは直交する方向に沿って行われるボウ調整及びスキュー調整が第１弾性部材４７や第２弾性部材６１によって阻害される虞が無く、ボウ調整機構４３及びスキュー調整機構４４を有効に機能させることができる。これに伴って、第１弾性部材４７及び第２弾性部材６１によって画像ジッタを抑制しつつボウやスキューを抑制することが可能となり、一層の高画質化を図ることが可能となる。
【００５７】
また、上記のように第３ミラー４２に第１弾性部材４７及び第２弾性部材６１を配置することで、ボウ調整及びスキュー調整が完了した後の第３ミラー４２の位置ずれを防止することが可能となり、この点においても、一層の高画質化を図ることが可能となる。
【００５８】
また、本実施形態では、第３ミラー４２の前後両端部に配置された第１弾性部材４７によって、第３ミラー４２の支持部材（図示せず）側から第３ミラー４２側に振動が伝搬したり、第３ミラー４２側から第３ミラー４２の支持部材側に振動が伝搬したりするのを抑制して、第３ミラー４２の防振効果を高めることが可能となる。また、第３ミラー４２の前後両端面４８ａ、４８ｄ及び左右側面４８ｂ、４８ｃに第１弾性部材４７を取り付けることで、第１弾性部材４７を簡易な方法で固定することが可能となる。
【００５９】
また、本実施形態では、ボウ調整機構４３のミラーホルダー５４の内側面６２と第３ミラー４２の左右側面４８ｂ、４８ｃの間に第２弾性部材６１の左右側片部６３が配置されているため、ボウ調整機構４３側から第３ミラー４２側に振動が伝搬したり、第３ミラー４２側からボウ調整機構４３側に振動が伝搬したりするのを抑制して、第３ミラー４２の防振効果を高めることが可能となる。また、連結部６４によって左右側片部６３を一体化する構成を採用することで、左右側片部６３のみによって第２弾性部材６１を形成する場合と比較して、ミラーホルダー５４に第２弾性部材６１を容易に取り付けることが可能となる。
【００６０】
本実施形態では、第３ミラー４２に本発明の構成を適用する場合について説明したが、他の異なる実施形態では、第１ミラー３８、第２ミラー４０等の他の異なるミラーに本発明の構成を適用しても良い。
【００６１】
本実施形態では、第３ミラー４２の反射面４５と直交する面４８ａ〜４８ｄに弾性部材４７、６１を部分的に設ける場合について説明したが、他の異なる実施形態では、環状の弾性部材４７、６１を第３ミラー４２の反射面４５と直交する面４８ａ〜４８ｄの全体に配置しても良い。
【００６２】
本実施形態では、弾性部材４７、６１としてスポンジ部材を用いたが、他の異なる実施形態では、ゴム等の他の異なる材質で弾性部材４７、６１を形成しても良い。
【００６３】
本実施形態では、複数の走査ユニット２５を備えた光走査装置１０に本発明の構成を適用する場合について説明したが、他の異なる実施形態では、一個の走査ユニット２５のみを備えた光走査装置１０に本発明の構成を適用しても良い。
【００６４】
本実施形態では、タンデム式のカラープリンター１に本発明の構成を適用する場合について説明したが、他の異なる実施形態では、ロータリー式のカラープリンター、モノクロプリンター、複写機、デジタル複合機、ファクシミリ等の他の画像形成装置に本発明の構成を適用することも可能である。
【符号の説明】
【００６５】
１  カラープリンター（画像形成装置）
１０  光走査装置
３３  レーザーダイオード（光源）
４２  第３ミラー（ミラー）
４３  ボウ調整機構
４４  スキュー調整機構
４５  反射面
４７  第１弾性部材
４８ａ  前端面
４８ｂ、４８ｃ  両側面
４８ｄ  後端面
５０  第１側片部
５１  第２側片部
５３  背面（反対側の面）
５４  ミラーホルダー
６１  第２弾性部材
６２  内側面
６３  左右側片部
６４  連結部
６７  調整ネジ（押圧部材）
【図１】
0005586548.tif 000002
【図２】
0005586548.tif 000003
【図３】
0005586548.tif 000004
【図４】
0005586548.tif 000005
【図５】
0005586548.tif 000006
【図６】
0005586548.tif 000007
【図７】
0005586548.tif 000008
【図８】
0005586548.tif 000009
【図９】
0005586548.tif 000010
【図１０】
0005586548.tif 000011